(57)【要約】      （修正有）【課題】膝を保護しながら農作業を快適に行うことができる作業ズボンを提供する。【解決手段】作業ズボン１００は、防水機能を有する面材で構成されたオーバーオール型のズボン本体１と、ズボン本体１の膝部に設けた膝当て２とから構成される。膝当ては、膝部３に対して着脱自在な構造となる。膝当ては、クッション材６としての矩形かつ所定厚のウレタン樹脂をカバー材４で包んだ構成である。カバー材の表面には面テープ５ａ、５ｂが設けられ、この面テープと対になる面テープ１５ａ、１５ｂが、ズボン本体の膝部に設けられる。また、ズボン本体１にはストラップ１１が設けられる。【選択図】図１
0003225934.tif 000002
【実用新案登録請求の範囲】
【請求項１】
少なくとも両足前面を覆う面材で構成されたズボン本体と、
膝と地面との間に介在した際にクッション性を残した状態で前記膝と地面との間で一定間隔を保つクッション材を有する膝当てと、
前記ズボン本体の膝部に設けられ且つ前記膝当てを前記膝部に対して着脱する着脱手段と、
を備えたことを特徴とする作業ズボン。
【請求項２】
前記膝当てには上下方向に面テープが設けられ、当該面テープに対応する面テープが前記膝部に設けられ、
前記膝当ての面テープの上側面テープと下側面テープとの間隔は、前記膝部の上側面テープと下側面テープとの間隔より狭いことを特徴とする請求項１に記載の作業ズボン。
【請求項３】
前記着脱手段は、前記膝当てを収納保持する前記膝部に設けたポケットであり、
当該ポケットの表面に前記ズボン本体の面材より硬いプロテクターが設けられることを特徴とする請求項１に記載の作業ズボン。
【考案の詳細な説明】
【技術分野】
【０００１】
本考案は、膝を地面について行う農作業に用いる作業ズボンに関するものである。
【背景技術】
【０００２】
従来から特許文献１に記載されているようなオーバーズボンが知られている。このオーバーズボンは、ズボン本体の膝部に膝当てを設け、当該膝当てが、前記ズボン本体の膝部の左右位置に、少なくとも上下部の２箇所が当該ズボン本体の各膝部に対し引き延ばされた状態で溶着されたゴムバンドと、これらのゴムバンドを被い、そのゴムバンドの収縮時に前記各膝部とともに左右両側部にギャザー部を作るように各膝部に溶着された膝当てシートとを備えた構成である。
【０００３】
前記膝当ては、水作業中の歩行や膝の屈伸が繰り返されることで疲労し易いズボン本体の膝部を補強するために前記膝部に設けられ、当該膝当てには、ズボン本体と同一素材である合成樹脂やゴム、あるいは金属繊維などからなる厚めのシート材が用いられる。
【０００４】
上記ゴムバンドは、引き延ばした状態で上下部の２箇所がズボン本体の膝部と膝当てシートとに設けられているため、膝部および膝当てシートには、そのゴムバンドの装着部を中心に常時上下方向にゴムバンドによる収縮力が作用し、上下方向にギャザー部が生じる。従って、ズボン本体の着用時には、膝の屈伸動作に応じて余裕を以って、柔軟かつスムースに伸縮するため、人の歩行や種々の作業に伴う動作を円滑化することができる。
【先行技術文献】
【特許文献】
【０００５】
【特許文献１】実用新案登録第３１７３５９７号公報
【考案の概要】
【考案が解決しようとする課題】
【０００６】
しかしながら、上記従来のオーバーズボンでは、地面に膝をついて作業を行うことが多い農作業用に用いる場合、上記構成による膝当てシートでは膝が痛くなってしまうという問題点があった。
【課題を解決するための手段】
【０００７】
本考案は、少なくとも両足前面を覆う面材で構成されたズボン本体と、膝と地面との間に介在した際にクッション性を残した状態で前記膝と地面との間で一定間隔を保つクッション材を有する膝当てと、前記ズボン本体の膝部に設けられ且つ前記膝当てを前記膝部に対して着脱する着脱手段とを備えたことを特徴とする作業ズボンである。
【０００８】
前記膝当てには上下方向に面テープが設けられ、当該面テープに対応する面テープが前記膝部に設けられ、前記膝当ての面テープの上側面テープと下側面テープとの間隔は、前記膝部の上側面テープと下側面テープとの間隔より狭くするのが好ましい。
【０００９】
また、前記着脱手段は、前記膝当てを収納保持する前記膝部に設けたポケットであり、当該ポケットの表面に前記ズボン本体の面材より硬いプロテクターが設けられるようにするのが好ましい。
【図面の簡単な説明】
【００１０】
【図１】本考案の実施の形態１に係る作業ズボンを示す斜視図である。
【図２】作業ズボンの変形例を示す斜視図である。
【図３】使用状態の膝当ての機能を示す説明図である。
【図４】膝当ての変形例を示す説明図である。
【図５】膝当てとズボン本体との装着関係を示す説明図である。
【図６】本考案の作業ズボンの使用方法を示す説明図である。
【図７】本考案の実施の形態２に係る作業ズボンを示す斜視図である。
【図８】膝当ての変形例を示す説明図である。
【図９】エア封入クッション材により構成した膝当てを示す構成図である。
【図１０】エア封入クッション材により構成した膝当ての変形例を示す構成図である。
【図１１】エア封入クッション材により構成した膝当ての変形例を示す構成図である。
【図１２】膝当ての作業ズボンへの装着方法を示す説明図である。
【図１３】ゲル封入クッション材により構成した膝当てを示す構成図である。
【図１４】スプリング内蔵クッション材により構成した膝当てを示す構成図である。
【図１５】図１４に示した膝当ての断面図である。
【図１６】膝当ての変形例を示す説明図である。
【考案を実施するための形態】
【００１１】
（実施の形態１）
図１は、本考案の実施の形態１に係る作業ズボンを示す斜視図である。この作業ズボン１００は、図１（ａ）に示すように、防水機能を有する面材で構成されたオーバーオール型のズボン本体１と、ズボン本体１の膝部に設けた膝当て２とから構成される。膝当て２は、膝部３に対して着脱自在な構造となる。当該膝当て２は、図１（ｂ）に示すように、クッション材６として矩形かつ所定厚のウレタン樹脂をカバー材４で包んだ構成である。カバー材４の表面には面テープ５が設けられる。この膝当て２側に設けた面テープ５と対になる面テープ１５は、前記ズボン本体１の膝部３に設けられる。ズボン本体１にはストラップ１１が設けられる。
【００１２】
ズボン本体１を構成する面材は、布材、ゴムのいずれでも良い。
【００１３】
ズボン本体１は両足の前面が覆われていれば作業ズボン１００として機能するため、図２（ａ）に示すように、足を通す部分の背面が省略されたものでも良い。この場合は、例えば、当該背面側にベルト５１を設け、足に固定できるようにする。また、図２（ｂ）に示すように、足のみを通すものでも良い。この場合は、例えば、下に履いているズボンのベルト５２又はベルト通しにバンド５３で係止するようにする。
【００１４】
クッション材６は、図３に示すように、しゃがんで膝Ｈ１を地面についた際（膝Ｈ１と地面Ｇとの間に介在した際）にクッション性を残した状態でユーザの膝Ｈ１と地面Ｇとの間に一定間隔を保持するものとし、これにより膝Ｈ１への負担を軽減する。係るクッション材６としての前記ウレタン樹脂には、高密度ウレタンフォーム、低反発ウレタンフォーム、チップウレタンを用いるのが好ましい。
【００１５】
前記カバー材４は、厚手の布、ゴム、合成樹脂等から構成される。また、カバー材４が布等の目合いを有する素材からなる場合、その表面には撥水加工が施される。更に、ゴムコーティングを施して防水性を持たせることもできる。このようにすれば、土が目に詰まるのを防止できる。また、カバー材４がゴムなどの素材自体に防水性を有するものであれば、防水と共に土の詰まりを防止できる。
【００１６】
また、図４（ａ）に示すように、ズボン本体１の素材より硬い、薄手のプラスチック板からなるプロテクター２０をカバー材４の表面に張り付けても良い。この場合、地面の石や木等により膝当て２のクッション材６が損傷するのを防止できる。
【００１７】
更に、図４（ｂ）に示すように、滑り止め用の凸部２１をカバー材４の表面に多数設けても良い。具体的には複数の凸部２１をゴムや樹脂で形成し、カバー材４の表面に設ける。これにより、クッション性が得られると共に滑りを防止できる。また、斜面での作業や地面が濡れている場合に有用である。当該凸部２１は、図４（ｃ）に示すように、前記プロテクター２０の表面に設けても良い。
【００１８】
図５（ａ）に示すように、膝当て２の面テープ５はカバー材４の周縁近傍に設けられる。当該面テープ５の対応するズボン本体１の膝部３側の面テープ１５は、ユーザが膝を曲げたときに前記膝当て２に引っ張りが生じない位置に設けられる。即ち、上下方向で膝当て２の面テープ５の上側面テープ５ａと下側面テープ５ｂとの間隔Ｌ１と膝部３側の上側面テープ１５ａと下側面テープ１５ｂとの間隔Ｌ２とは、後者の間隔を狭くする。これにより、図５（ｂ）に示すように、膝当て２を膝部３に装着したとき膝部３が皺になるが、使用時に膝を曲げたときには前記皺が伸びて、膝当て２と膝部３との間で引っ張りが生じなくなり、つっぱり感がなく且つ面テープ５，１５が外れるのを防止できる。
【００１９】
また、上記膝当て２はズボン本体１とは別部品となるため、消耗した場合に交換できる。このため、作業ズボン１００をズボン本体１が消耗するまで使用できる。更に、後述する別の形態の膝当てを使用場面に応じて選択使用できるようになる。
【００２０】
図６は、本考案の作業ズボンの使用方法を示す説明図である。ユーザＵは、前記膝当て２をズボン本体１の膝部３に装着する。続いて作業ズボン１００を履いて、当該作業ズボン１００のストラップ１１を首にかけてずれおちないように保持する。この状態で、同図（ａ）に示すように、ユーザＵの膝Ｈ１のあたりに前記膝当て２が位置する。そして、同図（ｂ）に示すように、畑などで膝Ｈ１をついて作業を行う。このとき膝当て２がクッションになり膝Ｈ１が保護される。地面が固い場合に特に有用である。
【００２１】
また、膝当て２は地面と膝Ｈ１との間の断熱作用も有する。特に、冬の地面は低温であるから膝当て２による断熱は大変有用である。更に、クッション材６の反力で立ち上がる際に勢いをつけることができるので、立ちしゃがみの動作が楽になる。
【００２２】
前記膝当て２は、カバー材４が撥水性及び防水性を備えているため、地面からの水分が作業ズボン１００に至ることはない。このため、快適に農作業ができる。仮にカバー材４が破れた場合でも内部のクッション材６が水分を吸収するため、作業ズボン１００の内部に至ることない。
【００２３】
ユーザＵは、膝当て２のクッション材６がへたる、或いは保護カバーが破損したりした場合、膝当て２をズボン本体１から取り外して、新しいものと交換する。膝当て２は、面テープ５でズボン本体１に装着されており着脱自在であるため、当該膝当て２の交換は極めて容易である。
【００２４】
以上、本考案の作業ズボン１００によれば、膝当て２によりユーザＵの膝を保護しながら農作業を快適に行うことができる。
【００２５】
（実施の形態２）
図７は、本考案の実施の形態２に係る作業ズボンを示す斜視図である。この作業ズボン２００は、防水機能を有するオーバーオール型のズボン本体１と、ズボン本体１の膝部３に設けた膝当て２とから構成される。膝当て２は、膝部３に設けたポケット２０１に収納することで実質的に着脱自在な構造となる。当該膝当て２は、矩形かつ所定厚のクッション材（ウレタン樹脂など）をカバー材４で包んだ構成である。ポケット２０１は上部が開口しており蓋２０２により閉じることができる。なお、クッション材をカバー材４で包まずにそのままポケット２０１に入れても良い。
【００２６】
ポケット２０１の表面の素材は、厚手の布、ゴム、合成樹脂等から構成される。また、布等の目合いを有する素材からなる場合、その表面には撥水加工が施される。ゴムなどの素材自体に防水性を有するものであれば土の詰まりを防止できる。また、前記カバー材４も同様に厚手の布、ゴム、合成樹脂等から構成される。
【００２７】
また、図８（ａ）に示すように、ズボン本体１の素材より硬い、薄手のプラスチック板からなるプロテクター２０をポケット２０１の表面に張り付けても良い。この場合、地面の石や木等により膝当て２のクッション材６が損傷するのを防止できる。更に、図８（ｂ）に示すように、滑り止め用の凸部２１をポケット２０１の表面に多数設けても良い。地面に膝をついて作業する際、斜面での作業となると滑るおそれがあるため、複数の凸部２１をゴムや樹脂で形成し、カバー材４の表面に設ける。これにより、クッション性が得られると共に滑りを防止できる。また、地面が濡れている場合にも有用である。当該凸部２１は、図８（ｃ）に示すように、前記プロテクター２０の表面に設けても良い。
【００２８】
この作業ズボン２００を使用するには、ポケット２０１内に膝当て２を挿入して蓋２０２を閉じる。具体的な作業状況は図６に示したものと同様である。この作業ズボン２００によれば、クッション性により膝を保護するほか作業動作を補助でき、断熱性を有することから冬場の作業に有用となる。
【００２９】
（実施の形態３）
また、上記実施の形態１及び２に示した膝当て２は、別の構造の膝当てと代替できる。係る膝当てとして、次のようなものが挙げられる。
（１）エア封入クッション材
（２）ゲル封入クッション材
（３）スプリング内蔵クッション材
【００３０】
図９は、エア封入クッション材により構成した膝当てを示す構成図である。この膝当て３３０は、本体３０１が矩形で内部が中空である。当該本体３０１はゴム製であって内部には空気が封入され気密性が保たれる。本体３０１には内部に空気を入れるホース３０２が設けられる。このホース３０２は、外部のエアポンプ３０３と連通している。また、ホース３０２には減圧用の弁３０４が設けられる。この弁３０４により膝当て２内部の空気を外部に出し、内部の気圧を調整する。
【００３１】
なお、図１０に示す膝当て３４０のように、ホース３０２、ポンプ３０３及び弁３０４を省略して、本体３０１に空気栓３０５を設けた構成でも良い。係る構成であれば構造が簡単である。
【００３２】
また、図１１に示す膝当て３５０のように、前記空気栓３０５を持たないエアクッション３０６を複数連結した構造としても良い。このエアクッションは、ゴム、ウレタン、スポンジの厚手の基材３０７からなる複数の区画で構成される。エアクッション内には、空気が封入され且つ外部に漏れないようになっている。このようにすれば、エアクッションが長持ちすると共に膝当て３５０を略板状に成形できることから扱い易いものとなる。
【００３３】
膝当て３３０，３４０，３５０は、実施の形態１に示した面テープ５で着脱する形式でも、実施の形態２に示したポケット２０１に入れる形式でもいずれでも採用できる。これら膝当て３３０，３４０，３５０の場合、ポケット２０１に入れて保持する構成が好ましい。膝当て３３０の場合、前記ポンプ３０３及び弁３０４は、ズボン本体１の手を入れるポケットの近傍に設けるものとする。ホース３０２は、図１２（ａ）に示すようにズボン内部を通すか（図中点線で示す）、図１２（ｂ）に示すように筒状部分３０８をズボン本体１に形成し、その中を通すのが好ましい。これにより、作業中に植物等に引っかかることがない。
【００３４】
この膝当て３３０，３４０，３５０は、内部に空気が封入されているため、クッション性が高く、膝への負担が大変少ない。また、断熱性が高いことから地面が冷たくても快適に作業できる。
【００３５】
図１３は、ゲル封入クッション材により構成した膝当てを示す構成図である。当該膝当て３６０に用いるゲル３１０はハイドロゲルを用いる。ゴム製の基材３１２は、内部が複数に区画され且つ各区画の内部にゲル３１０が封入される。複数に区画することで一つが破損しても他の部分でクッション性が保たれる。区画数は任意である。また、ゲル３１０の場合、冷却した状態でポケット２０１に入れて使用すると夏場の作業に適したものとなる。
【００３６】
ゲル封入クッションからなる膝当て３６０は、実施の形態２に係るポケット２０１に入れて保持する構成が好ましい。当該膝当て３６０を使用する場合の前記ポケット２０１には、地面にはとがった石や木が存在するため、表面に破れにくい素材を使用するのが好ましい。例えば、表面に厚手のゴム板や柔軟性があるプラスチック板のプロテクターを張り付けた構成にするのが良い（図８参照）。
【００３７】
ゲル３１０の他、基材３１１内に粘度が高い液体を封入しても良いし、普通の水を入れても良い。液体を封入した場合、液体が内部で流動することから膝の形状に膝当て３６０が変形してフィットする。このため、膝への圧力が均一になる。
【００３８】
図１４は、スプリング内蔵クッション材により構成した膝当てを示す構成図である。図１５は、図１４に示した膝当ての断面図である。この膝当て３７０は、樹脂製の一対の板材３１２の間に複数のバネ３１３を配置した構成である。板材３１２の一方側の外面にはクッション材３１４であるウレタン樹脂が設けられる。前記バネ３１３には、コイルスプリングを用いる。なお、板バネであっても良い。複数のバネ３１３を使用することで膝当て３７０が膝の形状にフィットするように変形するので、膝への負担が少ない。
【００３９】
スプリング内蔵クッションからなる膝当て３７０は、ポケット２０１に入れて保持する構成が好ましい。スプリングによる弾性力により立ち上がる際に勢いをつけることができるので、立ちしゃがみの動作が楽になる。特に地面が固い際に有効である。
【００４０】
図１６に示す膝当て３８０のように、断面がＵ字形状をした板バネ３１５をクッション材としても良い。この場合、板バネ３１５の膝側にはウレタン樹脂のクッション材３１６を設ける。係る構成によれば、地面との間で高い断熱性が得られると共に、立ち上がる際に強い反力が得られるので立ちしゃがみの動作が楽になる。
【００４１】
また、上記実施の形態１〜３に示した膝当て２の形状は矩形であったが、平面視で円形、楕円形、三角形、多角形、星形等の所望の形状を採用できる（図示省略）。
【符号の説明】
【００４２】
１００  作業ズボン
１  ズボン本体
２  膝当て
３  膝部
４  カバー材
５  面テープ
６  クッション材
【図１】
0003225934.tif 000003
【図２】
0003225934.tif 000004
【図３】
0003225934.tif 000005
【図４】
0003225934.tif 000006
【図５】
0003225934.tif 000007
【図６】
0003225934.tif 000008
【図７】
0003225934.tif 000009
【図８】
0003225934.tif 000010
【図９】
0003225934.tif 000011
【図１０】
0003225934.tif 000012
【図１１】
0003225934.tif 000013
【図１２】
0003225934.tif 000014
【図１３】
0003225934.tif 000015
【図１４】
0003225934.tif 000016
【図１５】
0003225934.tif 000017
【図１６】
0003225934.tif 000018